(57)【要約】  本発明に係るスライドパッケージは、略矩形の開口を有する筒状の外箱と、開口から外箱内にスライドして収容可能であり、開口を閉じる略矩形の蓋部を有する内箱とを備え、蓋部は、一端を中心に回動可能であるとともに、蓋部の対向する２辺が外箱の内側と接触して回動が抑制される。
2015045049.tif 000002
【特許請求の範囲】
【請求項１】
略矩形の開口を有する筒状の外箱と、
前記開口から前記外箱内にスライドして収容可能であり、前記開口を閉じる略矩形の蓋部を有する内箱と、
を備え、
前記蓋部は、一端を中心に回動可能であるとともに、前記蓋部の対向する２辺が前記外箱の内側と接触して回動が抑制される
スライドパッケージ。
【請求項２】
被収容物を載置する前記内箱の底面の１辺と、前記蓋部の１辺とが回動可能なヒンジを形成し、当該ヒンジと略平行な前記開口の２辺間の長さよりも前記ヒンジに直交する方向の前記蓋部の長さの方が長い
請求項１に記載のスライドパッケージ。
【請求項３】
閉蓋時に前記底面と前記蓋部とは鋭角をなす
請求項２に記載のスライドパッケージ。
【請求項４】
前記内箱の底面は略矩形であり、前記ヒンジと略直交する辺に側面が連設され、前記ヒンジと略直交する辺に平行な方向の前記側面の長さは、前記底面側よりも前記上面側の方が短い
請求項２又は３に記載のスライドパッケージ。
【請求項５】
前記側面は略台形であり、当該台形の蓋部側の辺の長さは、蓋部のヒンジから当該ヒンジに対向する辺までの長さとほぼ等しい
請求項４に記載のスライドパッケージ。
【請求項６】
前記側面の蓋部側端部にフラップが連設され、
前記フラップの底面側には、前記底面との干渉を避けるための切欠きが設けられている
請求項４又は５に記載のスライドパッケージ。
【請求項７】
前記内箱の底面は略矩形であり、前記ヒンジと略直交する略矩形の側面が連設されており、前記蓋部の前記底面に平行な方向の長さ及び前記側面の厚みの和は、前記開口の前記底面に平行な方向の内寸と略同一である
請求項２又は３に記載のスライドパッケージ。
【発明の詳細な説明】
【技術分野】
【０００１】
本発明は、スライドパッケージに関する。
【背景技術】
【０００２】
たばこのような被収容物を収容するパッケージの１つとして、外箱と内箱とを備えるシェルアンドスライド型のスライドパッケージが知られている。シェルアンドスライド型のスライドパッケージとは、例えば、両端が開口した筒状（「スリーブ状」とも呼ぶ）の外箱と、回動可能なヒンジで接続され外箱の開口部を塞ぐことができる蓋部を有する内箱とを備えたものである。【０００３】
また、外箱と内箱とを備えるシガレットパックにおいて、スライドする範囲をストッパによって制限するものは提案されている（特許文献１）。
【先行技術文献】
【特許文献】
【０００４】
【特許文献１】特表２００５−５２３８４８号公報
【発明の概要】
【発明が解決しようとする課題】
【０００５】
パッケージが紙のような素材で形成される場合、蓋部のヒンジ等の反発により、蓋部を閉じても蓋部と外箱の開口との間に隙間があいてしまうことがあった。特にたばこのような物品を収容するときは、隙間からたばこ刻がこぼれてしまうという問題がある。【０００６】
本発明は、このような課題に鑑みてなされてものであって、蓋閉まり性能の向上したパッケージを提供することを目的とする。
【課題を解決するための手段】
【０００７】
上記課題を解決するために、本発明に係るスライドパッケージは、略矩形の開口を有する筒状の外箱と、開口から外箱内にスライドして収容可能であり、開口を閉じる略矩形の蓋部を有する内箱とを備え、蓋部は、一端を中心に回動可能であるとともに、蓋部の対向する２辺が外箱の内側と接触して回動が抑制されるようにした。【０００８】
このようにすれば、内箱が外箱に収容された状態において蓋部を回動させようとしても、蓋部の対向する２辺が外箱の内側に接触するため、蓋部の一部と外箱の内側とが干渉して、又は蓋部の一部と外箱の内側との間に抵抗が働き、回動が抑制される。したがって、蓋閉まり性能を向上させることができる。なお、蓋部の対向する２辺が外箱の内側と接触する場合には、各辺の少なくとも一部が突出していて外箱の内側と接触する場合を含む。【０００９】
また、スライドパッケージは、被収容物を載置する内箱の底面の１辺と、蓋部の１辺とが回動可能なヒンジを形成し、ヒンジと略平行な外箱の開口の２辺間の長さよりもヒンジに直交する方向の蓋部の長さの方が長くなるようにしてもよい。さらに、スライドパッケージは、閉蓋時に内箱の底面と蓋部とは鋭角をなすようにしてもよい。このようにすれば、内箱が外箱に収容された状態において蓋部を回動させようとしても、蓋部のヒンジに対向する辺と外箱の内側とが干渉して、回動が抑制される。したがって、蓋閉まり性能を向上させることができる。【００１０】
さらに、スライドパッケージは、内箱の底面が略矩形であり、ヒンジと略直交する底面の辺に側面が連設され、ヒンジと略直交する底面の辺に平行な方向の側面の長さは、底面側よりも上面側の方が短くなるようにしてもよい。このようにすれば、内箱の底面と蓋部とが鋭角をなす場合であっても、蓋部と側面とが干渉するのを避けることができる。【００１１】
さらに、スライドパッケージは、内箱の側面が略台形であり、当該台形の蓋部側の辺の長さは、蓋部のヒンジから当該ヒンジに対向する辺までの長さとほぼ等しくなるようにしてもよい。このようにすれば、内箱の側面は、蓋部と側面とが干渉するのを避けるために十分な形状となる。【００１２】
また、スライドパッケージは、内箱の側面の蓋部側端部にフラップが連設され、フラップの底面側には、底面との干渉を避けるための切欠きが設けられるようにしてもよい。このようにすれば、さらに側面にフラップを設ける場合にも、フラップが他の部分と干渉するのを避けることができる。【００１３】
また、スライドパッケージは、内箱の底面が略矩形であり、ヒンジと略直交する略矩形の側面が連設されており、蓋部の底面に平行な方向の長さ及び側面の厚みの和は、外箱の開口の底面に平行な方向の内寸と略同一になるようにしてもよい。このようにしても、内箱の蓋部と側面とが干渉することなく、外箱の内部に収容することができる。【００１４】
なお、本発明に係るパッケージに収容する被収容物は特に限定されるものではないが、例えば、たばこ商品を被収容物として好適に例示できる。たばこ商品とは、例えば紙巻たばこ（フィルタシガレット、両切シガレット（フィルタ無し））、シガー（葉巻）、シガリロ、スヌース、嗅ぎたばこ、チューイングたばこ、電子たばこ等が例示できる。また、本発明に係るパッケージは、例えば、キャラメルのような菓子、ステープラーの針のような文房具、マッチ等、たばこ商品以外を収容するパッケージであってもよい。【００１５】
また、本発明における課題を解決するための手段は、可能な限り組み合わせて採用することができる。
【発明の効果】
【００１６】
本発明によれば、蓋閉まり性能の向上したパッケージを提供することができる。
【図面の簡単な説明】
【００１７】
【図１】実施形態に係るパッケージの一例を示す分解斜視図である。
【図２】実施形態に係る外箱の一例を示す斜視図である。
【図３】実施形態に係る内箱の一例を示す斜視図である。
【図４】実施形態に係るパッケージの一例を示す断面図である。
【図５】比較例に係るパッケージの一例を示す断面図である。
【図６】実施形態に係るパッケージの動作を説明するための断面図である。
【図７】実施形態に係る外箱を形成するためのブランクの一例を示す図である。
【図８】実施形態に係る内箱を形成するためのブランクの一例を示す図である。
【図９】変形例に係る内箱の一例を示す斜視図である。
【図１０】変形例に係る内箱を形成するためのブランクの一例を示す図である。
【図１１】変形例に係るパッケージの一例を示す正面図である。
【図１２】変形例に係る内箱の一例を示す斜視図である。
【図１３】変形例に係る内箱の一例を示す斜視図である。
【図１４】変形例に係る内箱の一例を示す斜視図である。
【図１５】変形例に係るパッケージの一例を示す断面図である。
【図１６】変形例に係る外箱の一例を示す斜視図である。
【発明を実施するための形態】
【００１８】
次に、本発明に係るパッケージの実施形態について、図面に基づいて説明する。本発明が適用されるパッケージに収容する被収容物は特定のものに限定されないが、ここでは、たばこ商品をパッケージに収容する場合を例に説明する。
【００１９】
＜パッケージの構成＞
図１〜３を用いて、パッケージの構成について説明する。図１は、実施の形態に係るスライドパッケージ（単に「パッケージ」とも呼ぶ）１の分解斜視図である。図２は、パッケージ１が備える外箱１１の斜視図である。図３は、パッケージ１が備える内箱１２の斜視図である。なお、パッケージ１に収容される被収容物２として、図１にはアルミ蒸着紙で包装されたたばこ商品を示している。また、内箱１２は、外箱１１の開口１１１（図２では、１１１Ａ又は１１１Ｂ）から外箱１１の内側へスライドして収容される。外箱１１及び内箱１２のスライド方向の長さは、ほぼ同じになっている。そして、収容時には、パッケージ１の外形は略直方体となる。また、パッケージ１の素材として、カード紙、マニラボール紙、コート紙等の紙材が好適に用いられるが、これらには限定されない。例えば、パッケージ１の素材として、プラスチック等の樹脂材料、その他の材料を適宜用いることができる。
【００２０】
本実施形態に係る外箱１１は、ほぼ矩形の開口１１１を有する筒状（「スリーブ状」とも呼ぶ）の箱である。外箱１１は、長手方向の両端が開口１１１となっており、パッケージ１の４つの面をそれぞれ形成する略矩形の面を４つ有している。本実施の形態では、図１に方向を示すように、開口１１１の一方を正面（前）、他方を背面（後）とする。また、外箱１１の４面のうち、四方に壁面を有する凹形状の内箱１２の開いた側に位置する面を上面１１２（上）、上面１１２に対向する面（すなわち、凹形状の内箱１２の底に接する面）を底面１１３（下）とする。そして、正面から見た左右方向をそれぞれ左側面１１４Ａ（左）、右側面１１４Ｂ（右）とする。以降、斜視図の方向については同様とする。なお、外箱１１は、上下、前後、左右にそれぞれほぼ対称（鏡像対称）であり、それぞれ逆にしても使用することができる。
【００２１】
本実施形態では、底面１１３と上面１１２とは略平行であり、底面１１３から上面１１２までの長さを、外箱１１の高さとも呼ぶ。特に開口１１１部分においては、開口１１１の高さとも呼ぶ。同様に、左側面１１４Ａと右側面１１４Ｂとの長さを、外箱１１の幅とも呼ぶ。特に開口１１１部分においては、開口１１１の幅とも呼ぶ。また、２つの開口１１１を結ぶ長さ（すなわち、内箱１２がスライドする方向の外箱１１の長さ）を外箱１１の奥行きとも呼ぶ。
【００２２】
内箱１２は、被収容物２を載置するトレイ状（凹形状）の箱である。内箱１２は、被収容物２を載置する略矩形の底面１２１、及び底面１２１の４辺にそれぞれ連設された壁面を有している。壁面のうち、内箱１２が外箱１１へ収容された状態において外箱１１の開口１１１を塞ぐ、対向する２つの面を蓋部１２２（図３では、１２２Ａ及び１２２Ｂ）と呼ぶ。蓋部１２２の形状も、略矩形である。また、蓋部１２２は、底面１２１と接続される辺１２３（「ヒンジ１２３」とも呼ぶ。図３では、１２３Ａ及び１２３Ｂ）を中心に回動可能である。本実施の形態では、ヒンジ１２３からヒンジ１２３と対向する辺までの長さが、開口１１１の高さよりも長くなっている。すなわち、ヒンジ１２３に直交する方向の蓋部１２２の長さの方が、ヒンジ１２３と略平行な開口１１１の２辺間の長さよりも長くなっている。また、蓋部１２２の４辺のうち、ヒンジ１２３と対向する辺には、フラップ１２４（図３では、１２４Ａ及び１２４Ｂ）が連設されている。フラップ１２４は、閉蓋時に外箱１１の内側に挿入される。また、底面１２１の４辺のうちヒンジ１２３と略直交する２辺に接続された、対向する２つの面を側面１２５（図３では、１２５Ａ及び１２５Ｂ）と呼ぶ。
【００２３】
本実施の形態では、図３に示すように、蓋部１２２の一方を正面側蓋部１２２Ａ（前）、他方を背面側蓋部１２２Ｂ（後）とする。また、凹形状の開いている方向を上、その反対方向にある、被収容物を載置する面を底面１２１（下）とする。そして、正面から見て左右方向をそれぞれ左側面１２５Ａ（左）、右側面１２５Ｂ（右）とする。また、底面１２１と側面１２５との間には切込み１２６が設けられ、切込み１２６の端点を結ぶ辺を中心に回動するようになっている。ただし、切込み１２６を設けないようにしてもよい。なお、内箱１２は、上下、前後、左右にそれぞれほぼ対称（図１の例ではフラップ１２４、切込み１２６を除く）であり、上下、前後、左右をそれぞれ逆にしても使用することができる。
【００２４】
＜動作＞
図４は、本実施形態に係る内箱１２が外箱１１に収容された状態のパッケージ１の断面図である。具体的には、パッケージ１を左右の幅方向の中央付近で切断し、断面をパッケージ１の側面側（右側）から見た図である。また、図４の断面図には、図１から図３に示した斜視図と対応する方向を示した。具体的には、図４の縦・横にそれぞれパッケージ１の上下・前後が対応している。以降、断面図の方向については同様とする。なお、被収容物２は図示を省略している。また、図５は、比較例に係る、内箱が外箱に収容された状態のパッケージ３の断面図である。
【００２５】
図４に示す本実施形態に係るパッケージ１は、蓋部１２２の底面側の一端（すなわち、ヒンジ１２３）から、当該一端に対向する蓋部１２２の他端までの長さＬＬが、外箱１１の開口１１１の内側の寸法（すなわち、内寸）ＩＤよりも長くなっている。ここで、開口１１１の内寸とは、開口１１１の高さの内寸であり、すなわち、ヒンジ１２３と略平行な、開口１１１の２辺間の内寸である。また、閉蓋時（すなわち、内箱１２を外箱１１の内部に収容したとき）において、蓋部１２２と底面１２１とは鋭角をなしている。また、側面１２５Ａのうち開口側の両端を結ぶ長さ（側面１２５Ａの幅とも呼ぶ）は、底面から上方に向かうにつれて短くなっている。すなわち、側面１２５Ａは台形であり、側面１２５Ａの幅（すなわち、側面１２５Ａの底面側の辺に平行な方向の長さ）は、底面側よりも上面側の方が短い。また、側面１２５Ａの蓋部側の２辺（台形の脚）は底面側の１辺との間でそれぞれ鋭角をなしている。よって、閉蓋時において蓋部１２２と底面１２１とが鋭角をなす場合であっても、蓋部１２２と側面１２５Ａとが干渉しない。ここで、干渉とは、蓋部１２２の動作範囲において、側面１２５Ａが蓋部１２２の動作を妨げることをいうものとする。図示していない側面１２５Ｂも同様である。なお、台形の蓋部側の辺の長さは、蓋部１２２のヒンジ１２３からヒンジ１２３に対向する辺までの長さとほぼ等しくすれば、側面１２５は、蓋部１２２と側面１２５とが干渉するのを避けるために十分な形状となる。
【００２６】
一方、図５に示す比較例に係るパッケージ３は、蓋部３２２の底面側のヒンジ３２３からヒンジ３２３に対向する他端までの長さが、外箱３１の開口３１１の内寸以下になっている。パッケージ３の蓋部３２２を開閉すると、ヒンジ３２３等の反発により、蓋部３２２と外箱の開口との間に隙間があいてしまうことがある。
【００２７】
図４に示すパッケージ１のようにすれば、内箱１２が外箱１１に収容された状態において、蓋部１２２を開蓋させようとしても、蓋部１２２のヒンジ１２３に対向する辺とヒンジ１２３とが外箱１１の内側に接触し、回動が抑制される。すなわち、パッケージ１の蓋閉まり性能が向上する。また、パッケージ１にたばこを収容する場合は、蓋部１２２と開口１１１との隙間からたばこ刻がこぼれてしまうようなことが抑制される。
【００２８】
本実施形態に係るパッケージ１は、蓋部１２２を回動させることができるとともに、外箱１１に対して内箱１２をスライドさせることもできる。図４に示した閉蓋時の状態から、内箱１２を前方にスライドさせると、図６に示すような状態になる。図６のように、内箱１２の一部が外箱１１から突出した状態であれば、蓋部１２２は外箱１１の内側に接触することなく回動可能となる。すなわち、パッケージ１に無理な力を加えることなく蓋部１２２を開閉することができる。
【００２９】
このとき、図３に示した切込み１２６の端点を結ぶ辺を中心に底面１２１の一部も回動するため、開蓋時には使用者にとって被収容物２がつかみやすくなる。また、開蓋時にはヒンジ１２３と切込み１２６の端点を結ぶ辺との２辺が回動するため、１辺のみが回動する場合よりも、開蓋に必要な１辺あたりの動作角度は少なくなっている。したがって、切込み１２６を設けた方が容易に蓋を開けることができ、被収容物を取り出し易くなっている。
【００３０】
なお、蓋部１２２のいずれか一方（例えば、蓋部１２２Ａ）のみについて、ヒンジ１２３とヒンジ１２３に対向する辺との間の長さが、開口１１１の内寸よりも長くなるようにしてもよい。また、パッケージ１の外側をさらにフィルムで包装しておき、フィルムのうち一方の開口側（例えば、前方側）の一部を切り離すことができるようにしてもよい。すなわち、例えばパッケージ１の後方側はフィルムで包装された状態としておけば、蓋部１２２Ｂのヒンジ１２３Ｂとヒンジ１２３Ｂに対向する辺との間の長さが、開口１１１Ｂの内寸以下であっても、蓋部１２２Ｂの開閉は抑制される。
【００３１】
また、パッケージ１は、ヒンジ１２３とヒンジ１２３に対向する辺との間の長さが、開口１１１の内寸よりも長くなっていれば、蓋閉まり性能を向上させる効果があるが、特に基材厚（内箱１２の厚さ）以上長いことが好ましい。また、基材は、紙とプラスチックフィルム又はアルミ箔などからなる積層体などでもよい。基材の坪量は、例えば紙の場合、６０ｇ／ｍ2〜４００ｇ／ｍ2が好ましい。
【００３２】
＜製造方法＞
本実施の形態に係るパッケージ１は、外箱１１を形成する外箱ブランクＢ１と、内箱１２を形成する内箱ブランクＢ２とを用いて製造することができる。図７に、外箱ブランクＢ１の一例を示す。また、図８に、内箱ブランクＢ２の一例を示す。ブランクは、紙材を図７及び図８の実線で示すような形状に打ち抜いたものである。ブランクを、例えば一点鎖線で示す折込み線に沿って谷折りに折り、外箱１１及び内箱１２が形成される。なお、二点鎖線は、使用者が山折りに折ることにより、被包装物を取り出し易くするための折込み線を示している。また、図７及び図８に方向を示した通り、便宜上、図面の上下左右に基づいてブランクに含まれる領域の接続関係を説明する。
【００３３】
外箱ブランクＢ１は矩形であり、外箱１１の４面を形成する４つの矩形領域と、端部同士を接着するための糊しろ領域とを有している。外箱１１の底面となる底面領域１００１の一端に、外箱１１の側面１１４Ａとなる側面領域１００２の一端が連なっている。また、側面領域１００２の反対側には、外箱１１の上面となる上面領域１００３の一端が連なっている。さらに、上面領域１００３の反対側には、外箱１１の側面１１４Ｂとなる側面領域１００４の一端が連なっている。また、側面領域１００４の反対側には、糊しろ領域１００５の一端が連なっている。糊しろ領域１００５は、底面領域１００１の端部と重ね合わされ、例えば接着剤で接着される。
【００３４】
内箱ブランクＢ２は十字形状である。十字形状の中央に、内箱１２の底面１２１を形成する矩形の底面領域２００１が存在する。なお、底面領域２００１は、二点鎖線で示した折込み線を含んでいる。また、底面領域２００１の一端（図８では左端）には、内箱１２の壁面のうち正面側の蓋部１２２Ａを形成する蓋部領域２００２の一端が連なっている。さらに、蓋部領域２００２の反対側には、フラップ１２４Ａを形成するフラップ領域２００３が連なっている。また、底面領域２００１の右端には、背面側の蓋部１２２Ｂを形成する蓋部領域２００４の一端が連なっている。さらに、蓋部領域２００４の反対側には、フラップ１２４Ｂを形成するフラップ領域２００５が連なっている。また、底面領域２００１の上端には、内箱１２の左側面１２５Ａを形成する側面領域２００６が連なっている。なお、底面領域２００１と側面領域２００６との境界のうち、内箱１２の正面側（図８では左側）の一部に切り込みが設けられている。また、底面領域２００１の下端には、内箱１２の右側面１２５Ｂを形成する側面領域２００７が連なっている。底面領域２００１と側面領域２００７との境界のうち、内箱１２の正面側（図８では左側）の一部にも切込みが設けられている。本実施の形態に係る内箱１２の壁面同士（すなわち、蓋部領域２００２、側面領域２００６、蓋部領域２００４及び側面領域２００７の間）は接着されない。
【００３５】
以上のような外箱ブランクＢ１、内箱ブランクＢ２からそれぞれ外箱１１、内箱１２が形成される。上記のブランクは一例であり、パッケージ１を形成するためのブランクは、様々なものを採用することができる。外箱１１、内箱１２を異なる形状に展開したブランクを用いるようにしてもよいし、各ブランクはさらに複数のブランクから構成されるようにしてもよい。
【００３６】
＜変形例１＞
図９に、パッケージ１の変形例に係る内箱１２Ａを示す。なお、図３に示した内箱１２と構成が同じ部分については、図３と同一の符号を付し、説明を省略する。内箱１２Ａは、側面１２５の開口側端部にフラップ１２７（「側面フラップ１２７」とも呼ぶ。図９では、１２７Ａ、１２７Ｂ、１２７Ｃ及び１２７Ｄ）を有している。また、側面１２５のうち開口側の両端を結ぶ長さ（側面１２５の幅とも呼ぶ）は、底面１２１から上方に向かうにつれて短くなっている。すなわち、側面１２５の蓋部側の辺と底面側の辺とが鋭角をなすように、フラップ１２７は斜めに折られている。よって、蓋部１２２と底面１２１とが鋭角をなす場合であっても、フラップ１２７は閉蓋動作を妨げない。ここで、側面１２５のうちフラップ１２７と接する辺と底面１２１と接する辺とが鋭角をなしているため、側面１２５とフラップ１２７とを１つの矩形領域から形成する場合、フラップ１２７を折るとフラップ１２７と底面１２１とが接触してしまう。図９の例では、フラップ１２７の底面側に切欠きを設け、フラップ１２７と底面１２１との接触を避けている。
【００３７】
図１０に、変形例１に係る内箱１２ＡのブランクＢ３を示す。なお、図８に示したブランクＢ２と構成が同じ部分については、図８と同一の符号を付し、説明を省略する。ブランクＢ３は、側面領域２００６の左端（すなわち、内箱１２を形成した後の前面側）に、側面フラップ１２７Ａを形成するフラップ領域２００８が連設されている。同様に、側面領域２００７の左端に、側面フラップ１２７Ｂを形成するフラップ領域２００９が連設されている。また、側面領域２００６の右端（すなわち、内箱１２を形成した後の背面側）に、側面フラップ１２７Ｃを形成するフラップ領域２０１０が連設されている。同様に、側面領域２００７の右端に、側面フラップ１２７Ｄを形成するフラップ領域２０１１が連設されている。また、フラップ領域２００８からフラップ領域２０１１は、それぞれ蓋部領域２００２又は２００４との間（すなわち、内箱１２を形成した際の底面側）に切欠きが設けられている。本変形例では、側面フラップ１２７の底面側に切欠きを設け、パッケージ１形成時に側面フラップ１２７と底面１２１とが接触することを避けている。
【００３８】
＜変形例２＞
図１１に、変形例に係るパッケージ１Ａの正面図を示す。図１から図４、図７及び図８に示した内箱１２は、蓋部１２２と底面１２１とが鋭角をなす場合であっても蓋部１２２と側面１２５とが干渉しないように、側面１２５の蓋部側の両端が斜めになっていた。図１１の例では、蓋部１２２の幅（すなわち、ヒンジと略平行な方向の長さ）が側面１２５Ａ及び側面１２５Ｂの厚み程度短くなっている。すなわち、蓋部１２２の底面１２１に平行な方向の長さ並びに側面１２５Ａの厚み及び側面１２５Ｂの厚みの和は、底面１２１に平行な方向の外箱１１の開口１１１の内寸と略同一である。このようにしても、蓋部１２２と側面１２５との干渉を避けることができる。
【００３９】
＜変形例３＞
図１２に、パッケージ１の変形例に係る内箱１２Ｂを示す。なお、図３に示した内箱１２と構成が同じ部分については、図３と同一の符号を付し、説明を省略する。図１２の例では、蓋部１２２Ｃ及び蓋部１２２Ｄは、それぞれ側面１２５Ａ及び側面１２５Ｂの開口側の一端に連設されている。すなわち、蓋部１２２と側面１２５とが接続される１辺がヒンジ１２３（図１２では、１２３Ｃ及び１２３Ｄ）となっている。また、蓋部１２２の４辺のうちヒンジ１２３からヒンジ１２３と対向する辺までの長さは、外箱１１の開口１１１の幅方向の内寸よりも長くなっている。このような場合も、内箱１２Ｂが外箱１１に収容された状態において蓋部１２２を開蓋させようとしても、蓋部１２２のヒンジ及びヒンジに対向する辺が外箱１１の内側に接触して回動が抑制され、パッケージ１の蓋閉まり性能が向上する。
【００４０】
＜変形例４＞
図３に示した蓋部１２２は、ヒンジ１２３と対向する辺の全体が外箱１１の内箱に接触するようになっていたが、このような例には限られない。例えば、蓋部１２２は略矩形であって、ヒンジ１２３と対向する側の端部の少なくとも一部からヒンジ１２３までの長さが外箱１１の内寸よりも長くなるようにしてもよい。図１３に、ヒンジ１２３と対向する側の端部の一部からヒンジ１２３までの長さが外箱１１の内寸よりも長くなるようにした内箱１２Ｃを示す。図１３の例では、蓋部１２２（１２２Ｅ及び１２２Ｆ）は凸形状になっている。具体的には、ヒンジ１２３と対向する辺のうち幅方向の中央付近に突出部１２２１（図１３では、１２２１Ａ及び１２２１Ｂ）を有している。突出部１２２１の端からヒンジ１２３までの長さが開口１１１の内寸より長い場合であっても、内箱１２が外箱１１に収納された状態において、ヒンジ１２３とヒンジ１２３に対向する辺の一部（突出部１２２１）とが外箱１１の内側に接触する。すなわち、蓋部１２２Ｅの回動が抑制され、パッケージ１の蓋閉まり性能が向上する。
【００４１】
＜変形例５＞
また、上述した例はいずれも、蓋部１２２のうちヒンジ１２３とヒンジに対向する辺との間の長さが開口１１１の内寸よりも長くなっていた。しかしながら、例えば図１４に示すように、蓋部１２２（１２２Ｇ及び１２２Ｈ）のうちヒンジ１２３と略直交する辺同士の間の長さが開口１１１の内寸（すなわち、開口１１１の幅方向の内寸）より長くなるようにしてもよい。図１４の例では、ヒンジ１２３と略直交する辺の中央付近に、ヒンジ１２３に平行な方向に突出した突出部１２２２（１２２２Ａ及び１２２２Ｂ）を有する。そして、ヒンジ１２３と略直交する辺同士の間の長さのうち、突出部１２２２間の長さは、開口１１１の幅方向の内寸よりも長くなっている。このような場合であっても、略矩形である蓋部１２２のうちヒンジと略直交する２辺の一部（突出部１２２２）が外箱１１の内側に接触するため蓋部１２２の開閉時に抵抗が働き、開蓋が抑制される。すなわち、本発明に係るパッケージ１は、蓋部１２２の対向する２辺が外箱１１の内側と接触するようになっており、蓋部１２２の回動が抑制され、パッケージ１の蓋閉まり性能が向上する。
【００４２】
＜その他の変形＞
また、図３に示した蓋部１２２は、平面であったが、図１５に断面図を示すような曲面であってもよい。図１５は、変形例に係るパッケージ１Ｂを正面から見て幅方向の中央付近で切断し、断面を右側から見た図である。蓋部１２２（１２２Ｉ及び１２２Ｊ）は、高さ方向の中央付近がパッケージの外側に膨らんだ形状である。例えば、弾性変形する蓋部１２２のヒンジ１２３とヒンジ１２３の対辺とが外箱１１の内側に接触して上面１１２及び底面１１３との間で突っ張り、蓋閉まり性能を向上させことができる。
【００４３】
また、図２等には両端が開口したスリーブの外箱１１を示したが、このような例には限定されない。例えば図１６に示すように、外箱１１は、一端（前方の一面）が開口し、これに対向する他端が側面１１４Ｃによって閉じられていてもよい。さらに、外箱１１の側面１１４Ｃは、使用者が指で内箱１２を押してスライドさせられるように貫通した孔１１５を備えていてもよい。
【００４４】
また、上述した例では、パッケージに収容する被収容物として、フィルタシガレットや両切シガレット等のたばこ商品を挙げた。しかしながら、被収容物はこれらには限定されず、例えば菓子、文房具、マッチ等であってもよい。
【符号の説明】
【００４５】
１、１Ａ、１Ｂ  パッケージ
１１  外箱
１１１（１１１Ａ、１１１Ｂ）  開口
１１２  上面
１１３  底面
１１４（１１４Ａ〜１１４Ｃ）  側面
１１５  孔
１２  内箱
１２１  底面
１２２（１２２Ａ〜１２２Ｊ）  蓋部
１２３（１２３Ａ〜１２３Ｄ）  ヒンジ
１２４（１２４Ａ〜１２４Ｄ）  フラップ
１２５（１２５Ａ、１２５Ｂ）  側面
１２６  切込み
１２７（１２７Ａ〜１２７Ｄ）  側面フラップ
２  被収容物
【図１】
2015045049.tif 000003
【図２】
2015045049.tif 000004
【図３】
2015045049.tif 000005
【図４】
2015045049.tif 000006
【図５】
2015045049.tif 000007
【図６】
2015045049.tif 000008
【図７】
2015045049.tif 000009
【図８】
2015045049.tif 000010
【図９】
2015045049.tif 000011
【図１０】
2015045049.tif 000012
【図１１】
2015045049.tif 000013
【図１２】
2015045049.tif 000014
【図１３】
2015045049.tif 000015
【図１４】
2015045049.tif 000016
【図１５】
2015045049.tif 000017
【図１６】
2015045049.tif 000018
【手続補正書】
【提出日】平成28年11月28日(2016.11.28)
【手続補正１】
【補正対象書類名】特許請求の範囲
【補正対象項目名】全文
【補正方法】変更
【補正の内容】
【特許請求の範囲】
【請求項１】
略矩形の開口を有する筒状の外箱と、
前記開口から前記外箱内にスライドして収容可能であり、前記開口を閉じる略矩形の蓋部を有する内箱と、
を備え、
被収容物を載置する前記内箱の底面又は側面の１辺と、前記蓋部の１辺とが回動可能なヒンジを形成し、当該ヒンジと略平行な前記開口の２辺間の長さよりも前記ヒンジに直交する方向の前記蓋部の長さの方が長く、
前記蓋部は、一端を中心に回動可能であるとともに、前記蓋部の対向する２辺が前記外箱の内側と接触して回動が抑制され、
閉蓋時に前記底面又は側面と前記蓋部とは鋭角をなす
スライドパッケージ。
【請求項２】
前記内箱の底面は略矩形であり、前記ヒンジと略直交する辺に側面が連設され、前記ヒンジと略直交する辺に平行な方向の前記側面の長さは、前記底面側よりも上面側の方が短い
請求項１に記載のスライドパッケージ。
【請求項３】
前記側面は略台形であり、当該台形の蓋部側の辺の長さは、蓋部のヒンジから当該ヒンジに対向する辺までの長さとほぼ等しい
請求項２に記載のスライドパッケージ。
【請求項４】
前記側面の蓋部側端部にフラップが連設され、
前記フラップの底面側には、前記底面との干渉を避けるための切欠きが設けられている
請求項１又は２に記載のスライドパッケージ。
【請求項５】
前記内箱の底面は略矩形であり、前記ヒンジと略直交する略矩形の側面が連設されており、前記蓋部の前記底面に平行な方向の長さ及び前記側面の厚みの和は、前記開口の前記底面に平行な方向の内寸と略同一である
請求項１に記載のスライドパッケージ。
【国際調査報告】
2015045049.tif 000019
2015045049.tif 000020